(57)【要約】【課題】１個のバッグを、ハンドバッグ、ショルダーバッグなどの複数の形態に臨機応変に自在に変更して使用できるようにしたバッグを提供する。【解決手段】ベルト４，５の少なくとも一端側を袋体３の上部に設けられたベルト挿通口６、８を挿通した状態で止具７又は止受具９を設ける一方、袋体３にはベルト４，５の止具７又は止受具９が解除可能に連結する止受具１０又は止具１１を設けると共に、上記ベルト挿通口６，８はベルト４，５に設けられた止具７又は止受具９が通過しない大きさとし、ベルト４，５側の止具７又は止受具９を袋体３側の止受具１０又は止具１１に連結し、又は、連結を解除することにより、ベルト４，５の長さを調整する。【選択図】　　図１
2004097672.tif 000002
【特許請求の範囲】
【請求項１】
袋体とベルトとからなるバッグにおいて、袋体の外側にあらわれるベルトの長さを変更自在に挿通するベルト挿通口が袋体の上部に設けられ、ベルト挿通口を挿通するベルトの自由端部側に止具または止受具が設けられる一方、袋体の裏面側には、ベルト挿通口の形成位置よりも下方に、ベルトの止具又は止受具と着脱自在に連結する止受具又は止具を設けられる一方、ベルト挿通口は、ベルトに設けられた止具または止受具が通過しない大きさに形成されていることを特徴とするバッグ。
【請求項２】
袋体とベルトとからなるバッグにおいて、袋体の外側にあらわれるベルトの長さを変更自在に挿通するベルト挿通口が袋体の上部に設けられ、ベルトの自由端部に止具又は止受具が設けられる一方、袋体の裏面側には、ベルト挿通口の形成位置付近及び袋体の下部に、ベルトの止具又は止受具と着脱自在に連結する止受具又は止具が設けられていることを特徴とするバッグ。
【請求項３】
袋体に設けられた止具又は止受具は、袋体の下部からベルト挿通口の形成個所までの間に、複数設けられていることを特徴とする請求項１または２に記載のバッグ。
【請求項４】
袋体の下部に、ベルトの自由端部側の止具又は止受具に対応する止受具又は止具が設けられており、袋体に設けられたこれら止受具と止具同士は、ベルトの自由端部側の止具又は止受具との非連結状態において互いに着脱自在に連結可能であることを特徴とする請求項１から３のいずれかに記載のバッグ。
【請求項５】
一のベルトの自由端部側に設けられる止具又は止受具と、この一のベルトの自由端部側と同一側であって他のベルトの自由端部側に設けられる止具又は止受具とは、逆のものであることを特徴とする請求項４記載のバッグ。
【請求項６】
袋体とベルトとからなるバッグにおいて、袋体の外側にあらわれるベルトの長さを変更自在に挿通するベルト挿通口が袋体の上部に設けられ、ベルトの自由端部に面ファスナーが設けられる一方、袋体の裏面の上下方向には、ベルトに設けられた面ファスナーが着脱自在に無段階に連結する面ファスナーが設けられたことを特徴とするバッグ。
【発明の詳細な説明】
【０００１】
【発明の属する技術分野】
本発明は、バッグに関する。
【０００２】
【従来の技術】
従来のハンドバッグは一般に軽量な荷物を収容して持ち運ぶ場合に使用される（例えば、特許文献１参照）。又、ショルダーバッグは一般には重量の重い荷物を運ぶ場合に使用される（例えば、特許文献２参照）。
【０００３】
【特許文献１】
特開２００１−１９０３１８号公報（第１図）
【特許文献２】
特開２００２−５８５１５号公報（第１図）
【０００４】
【発明が解決しようとする課題】
しかし、例えば、買い物時の都合によって、予想外に、荷物が多くなったり少なくなったりする場合が多いが、従来のバッグはハンドバッグ又はショルダーバッグとして専用に形成されていたため、買い物時等に携帯しているバッグは荷物の量の変更に臨機応変に対応できないものであった。
【０００５】
そこで、本発明は１個のバッグを、ハンドバッグ、ショルダーバッグなどの複数の形態に臨機応変に自在に変更して使用できるようにしたバッグを提供するものである。
【０００６】
【課題を解決するための手段】
請求項１の発明にかかるバッグは、袋体の外側にあらわれるベルトの長さを変更自在に挿通するベルト挿通口が袋体の上部に設けられ、ベルト挿通口を挿通するベルトの自由端部側に止具または止受具が設けられる一方、袋体の裏面側には、ベルト挿通口の形成位置よりも下方に、ベルトの止具又は止受具と着脱自在に連結する止受具又は止具を設けられる一方、ベルト挿通口は、ベルトに設けられた止具または止受具が通過しない大きさに形成されたものである。
【０００７】
請求項２の発明にかかるバッグは、袋体の外側にあらわれるベルトの長さを変更自在に挿通するベルト挿通口が袋体の上部に設けられ、ベルトの自由端部に止具又は止受具が設けられる一方、袋体の裏面側には、ベルト挿通口の形成位置付近及び袋体の下部に、ベルトの止具又は止受具と着脱自在に連結する止受具又は止具が設けられたものである。
【０００８】
請求項３の発明にかかるバッグは、請求項１又は２に記載のバッグに、袋体の下部からベルト挿通口の形成個所までの間に、複数の止具又は止受具が設けられたものである。
【０００９】
請求項４の発明にかかるバッグは、請求項１から３のいずれかに記載のバッグの袋体の下部に、ベルトの自由端部側の止具又は止受具に対応する止受具又は止具が設けられており、袋体に設けられたこれら止受具と止具同士は、ベルトの自由端部側の止具又は止受具との非連結状態において互いに着脱自在に連結可能であるものである。
【００１０】
請求項５の発明にかかるバッグは、請求項４に記載のバッグの一のベルトの自由端部側に設けられる止具又は止受具と、この一のベルトの自由端部と同一側であって他のベルトの自由端部側に設けられる止具又は止受具とは、逆のものである。
【００１１】
請求項６の発明にかかるバッグは、袋体の外側にあらわれるベルトの長さを変更自在に挿通するベルト挿通口が袋体の上部に設けられ、ベルトの自由端部に面ファスナーが設けられる一方、袋体の裏面の上下方向には、ベルトに設けられた面ファスナーが着脱自在に無段階に連結する面ファスナーが設けられたものである。
【００１２】
【発明の実施の形態】
図１及び図２は本発明の第１実施形態を示す。バッグ１は、上面２が開口して荷物が収容される袋体３と、該袋体３に互いに対向して設けられた一対のベルト４，５とから構成される。一方のベルト４の自由端部４Ａは、袋体３の上部に設けられたベルト挿通口６を通って袋体３の外側から袋体３の内側へ導入される。ベルト４の自由端部４Ａがベルト挿通口６を通って袋体３の外側から内側へ導入された状態でベルト４の自由端部４Ａには止具７が取り付けられる。ベルト挿通口６はベルト４は挿通するが止具７は抜け出ない大きさである。このベルト４の他端４Ｂは、袋体３の表面に逢着などの手段によって取り付けられる。
【００１３】
他方のベルト５の自由端部５Ａは、袋体３の上部に設けられたベルト挿通口８を通って袋体３の外側から袋体３の内側へ導入される。ベルト５の自由端部５Ａがベルト挿通口８を通って袋体３の外側から内側へ導入された状態でベルト５の自由端部５Ａには、ベルト４の止具７とは逆の止受具９が取り付けられる。ベルト挿通口８はベルト５は挿通するが止受具９は抜け出ない大きさである。このベルト５の他端５Ｂは袋体３の表面に逢着等の手段によって取り付けられる。
【００１４】
袋体３の底近傍には一方のベルト４に設けられた止具７が解除可能に連結する止受具１０が設けられる。又、袋体３の底近傍には他方のベルト５に設けられた止受具９が解除可能に連結する止具１１が設けられる。止受具１０及び止具１１は袋体３に直接に逢着等の手段によって取り付けられても良いし、又は、逢着などの手段によって袋体３に取り付けられた紐などの先端に取り付けられても良い。止具７，１１は例えば、図中、仮想線で示すように、ばね片の先端に設けられたフックを備え、止受具１０，９はフックが弾性的に連結するフック受けを備え、止具７，１１と止受具１０，９とをバックル型式によって構成できる。止具７，１１と止受具１０，９とは、互いに解除可能に連結するものであれば良く、このようなバックル型式のものに限定されない。
【００１５】
次に、動作について説明する。図１中、実線で示すように、一方のベルト４に設けられた止具７が袋体３の止受具１０に連結し、他方のベルト５に設けられた止受具９が袋体３の止具１１に連結しているとする。次に、止具７と止受具１０との連結、及び止受具９と止具１１との連結を解除した状態でベルト４，５を持ち上げると、図２に示すように、ベルト４の止具７は袋体３のベルト挿通口６を挿通できず、ベルト挿通口６に係止する。一方、同様に、ベルト５の止受具９は袋体３のベルト挿通口８に係止する。図２に示す状態は、図１に示す状態と比較して、袋体３の外側に現われているベルト４，５の長さが長い。即ち、図２に示すように、袋体３の外側に現われているベルト４，５の長さが、第１図に示す場合と比較して長い場合には、バッグ１はショルダーバッグとして使用され得る。一方、図１に示すように、袋体３の外側に現れているベルト４，５の長さが短い場合には、バッグ１はハンドバッグとして使用され得る。このように、本実施形態のバッグ１はベルト４，５の長さの長短を調整することにより、ショルダーバッグ又はハンドバッグとして使用され得るものである。又、図２に示す状態において、袋体３側に設けられた止受具１０と止具１１とを、図中、実線で示すように連結させれば、バッグ１をショルダーバッグとして使用する状態において、袋体３側に設けられた止具１１と止受具１０とが衝突してカチャカチャと耳障りな音を発生させる現象を防止できる。以上の説明では、一方のベルト４の自由端部４Ａに止具７を設け、袋体３側にはこの止具７と対を成す止受具１０を設けたが、このベルト４の自由端部４Ａに止受具１０を設け、袋体３側にはこの止受具１０と対を成す止具７を設けても良い。又、同様に、他方のベルト５の自由端部５Ａに止具１１を設け、袋体３側にはこの止具１１と対を成す止受具９を設けても良い。
【００１６】
図３は本発明の第２実施形態を示す。第２実施形態においては、ベルト４，５の他端４Ｂ，５Ｂ側の袋体３にも、第１実施形態と同様のベルト挿通口６、８がそれぞれ形成され、これらベルト挿通口６，８を挿通してベルト４，５の他端４Ｂ，５Ｂ側が袋体３の内部に導入された状態でこのベルト４，５の他端４Ｂ，５Ｂ側に止具７と止受具９とをそれぞれ設け、更に、袋体３の底近傍にはベルト４の止具７が係止する止受具（図示せず）とベルト５の止受具９が係止する止具（図示せず）を設けたものである。このように構成することにより、袋体３の外側に現われるベルト４，５の長さの長短をより大きく変化させることができる。
【００１７】
図４は本発明の第３実施形態を示す。第３実施形態においては、第１実施形態と比較して、ベルト挿通口６と止受具１０との中間近辺に更に止受具１０を設けた場合を示す。このように更に止受具１０を設けることによって、袋体３外に現われるベルト４の長さの長短を多段階に調整できる。
【００１８】
図５は本発明の第４実施形態を示す。第４実施形態においてはベルト４に設けられた止具２１と袋体３に設けられた止受具２２，２３とを面ファスナーによって構成したものである。止受具２２を構成する面ファスナーはベルト挿通口６近傍の袋体３内面に設けられ、止受具２３を構成する面ファスナーは袋体３の底近傍に設けられる。ベルト５及びベルト５側の袋体３内面にもベルト４に設けられたものと同様のベルト挿通口，並びに、止具及び止受具としての面ファスナー（図示せず）が設けられる。ここで、袋体３に設けられたベルト挿通口６の大きさを、ベルト４は挿通するがベルト４に設けられた止具２１としての面ファスナーは挿通しない大きさにすれば、ベルト４に設けられた止具２１としての面ファスナーと袋体３に設けられた止受具２２、２３としての面ファスナーとの係止が仮に不用意に解除したとしてもベルト４に設けられた止具２１としての面ファスナーがベルト挿通口６に係止することにより、ベルト４が袋体３から脱落する事態は防止される。
【００１９】
図６は本発明の第５実施形態を示す。第５実施形態においては、ベルト４の自由端部４Ａに面ファスナー３１が設けられる一方、袋体３の裏面の上下方向には、ベルト４に設けられた面ファスナー３１が着脱自在に連結する面ファスナー３２が取り付けられる。このように構成した場合、面ファスナー３２に対する面ファスナー３１の取り付け位置を無段階に調整することにより、袋体３の外側に現われるベルト４の長短を無段階に調整できる。
【００２０】
【発明の効果】
以上説明したように、本発明のバッグは、袋体の外側に現われるベルトの長さの長短を調整することによって、一個のバッグをハンドバッグ又はショルダーバッグ等のように複数の形態に臨機応変に自在に変更して使用され得るものである。
【図面の簡単な説明】
【図１】本発明の第１実施形態のバッグを縦方向に切欠いた状態の斜視図である。
【図２】本発明の第１実施形態のバッグを縦方向に切欠いた状態の斜視図である。
【図３】本発明の第２実施形態のバッグを縦方向に切欠いた状態の斜視図である。
【図４】本発明の第３実施形態のバッグを縦方向に切欠いた状態の斜視図である。
【図５】本発明の第４実施形態のバッグを縦方向に切欠いた状態の斜視図である。
【図６】本発明の第５実施形態のバッグを縦方向に切欠いた状態の斜視図である。
【符号の説明】
１　バッグ
３　袋体
４　ベルト
５　ベルト
６　ベルト挿通口
７　止具
８　ベルト挿通口
９　止受具
１０　止受具
１１　止具
２１　止具（面ファスナー）
２２　止受具（面ファスナー）
２３　止受具（面ファスナー）
３１　面ファスナー
３２　面ファスナー
【図１】
2004097672.tif 000003
【図２】
2004097672.tif 000004
【図３】
2004097672.tif 000005
【図４】
2004097672.tif 000006
【図５】
2004097672.tif 000007
【図６】
2004097672.tif 000008